【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
下層のポリマー基材中に第一の染料を有する下層の着色されたフイルム、
上層のポリマー基材中に第二の染料を有する上層の着色されたフイルム、を含む、蛍光の色合いを有するシート物品であって、
前記物品は前記下層の着色フイルム上に前記上層の着色フイルムを有し、前記着色フイルムの少なくとも１つが着色蛍光フイルムであるように、前記第一染料または前記第二染料の少なくとも１つが蛍光染料であり、そして、
前記物品は前記少なくとも１つの着色蛍光フイルムと異なる選択された蛍光の色合いを有する、前記物品。
【請求項２】
前記第一染料及び前記第二染料の両方が蛍光染料である、請求項１記載の物品。
【請求項３】
前記第一染料は前記第二染料と異なる、請求項１または２に記載の物品。
【請求項４】
前記上層の着色フイルムは、前記下層の着色フイルムよりも高い紫外線安定性、前記下層の着色フイルムの紫外線遮断特性を超える紫外線遮断特性、前記下層の着色フイルムよりも大きい光吸収能力、およびこれらの組み合わせから成る群から選ばれる特性を有する、請求項１〜３のいずれか１項に記載の物品。
【請求項５】
前記下層のポリマー基材は、アクリル樹脂、ポリカーボネート、ポリエステル、ポリアリーレート、コポリエステルカーボネート、ポリスチレン、スチレン−アクリロニトリルコポリマー、ポリウレタン、ポリ塩化ビニル、およびこれらの組み合わせ、ならびにこれらのコポリマーの構造から成る群から選ばれるポリマー構造を有し、前記上層のポリマー基材は、アクリル樹脂、ポリアリーレート樹脂、コポリエステルカーボネート樹脂、およびこれらの組み合わせ、ならびにこれらのコポリマーの構造から成る群から選ばれるポリマー構造を有する、請求項１〜４のいずれか１項に記載の物品。
【請求項６】
前記物品の選択された蛍光の色合いは、ベンゾキサンテン、ベンゾチアジン、ペリレン、ペリレンイミド、ペリレンエステル、チオキサンテン、およびチオインジゴイドから成る群から選ばれる染料によって供給されるような、蛍光黄緑色、蛍光黄色、蛍光オレンジ色、蛍光赤色、蛍光青色、および蛍光緑色から成る群から選ばれる、請求項１〜５のいずれか１項に記載の物品。
【請求項７】
前記選択された蛍光の色合いは、以下の“ｘ”および“ｙ”の色度座標：（ｘ＝０．３８７、ｙ＝０．６１０）、（ｘ＝０．４６０、ｙ＝０．５４０）、（ｘ＝０．４２１、ｙ＝０．４８６）および（ｘ＝０．３６８、ｙ＝０．５３９）によって確定される“ｘ”および“ｙ”の色度座標を有する蛍光黄緑色である、請求項１〜６のいずれか１項に記載の物品。
【請求項８】
前記物品の特性が、前記第二蛍光染料は前記第一染料よりも大きい日中輝度ファクター“Ｙ％”を有すること；前記第一染料は前記上層フイルム中よりも前記下層フイルム中において耐光堅牢性が大きいこと；前記下層フイルムは前記上層フイルムよりも脆性が小さいこと；およびこれらの組み合わせから成る群から選ばれる、請求項１〜７のいずれか１項に記載の物品。
【請求項９】
前記物品は再帰反射性部材を含む、請求項１〜８のいずれか１項に記載の物品。
【請求項１０】
前記下層は、入射光が前記上層を通過し、次いで前記下層に入り、次いで前記再帰反射性部材中に入り、そして前記下層の着色フイルム中で再帰反射し、そして前記上層の着色フイルムを通過して、前記物品の外に出るように、前記上層と前記再帰反射性部材との間に存在する、請求項９記載の物品。
【請求項１１】
前記再帰反射性部材は前記下層中に形成される、請求項１０記載の物品。
【請求項１２】
前記再帰反射性部材は、カプセル化レンズ構造または密閉形レンズ構造を与えるように配置される、請求項９〜１１のいずれか１項に記載の物品。
【請求項１３】
前記物品は少なくても３年間の屋外使用に適する表記であり、前記物品は、前記下層フイルムまたは前記上層フイルムのいずれかよりも実質的に小さい、屋外条件に長期暴露された後のΔＥ*値を有する、請求項１〜１２のいずれか１項に記載の物品。
【請求項１４】
前記上層の染料は、ベンゾキサンテン染料である、請求項１〜１３のいずれか１項に記載の物品。
【請求項１５】
前記下層の染料は、ベンゾチアジン染料である、請求項１〜１４のいずれか１項に記載の物品。
【請求項１６】
前記下層のポリマー基材はポリアリーレート樹脂またはコポリエステルカーボネート樹脂であり、前記下層フイルムの染料は、チオキサントン、チオインジゴイド、チオキサンテン、ペリレン、クマリンまたはラクトンである、請求項１〜１３のいずれか１項に記載の物品。
【請求項１７】
前記上層のポリマー基材はポリアリーレート樹脂またはコポリエステルカーボネート樹脂であり、前記上層フイルムの染料は、チオキサントン、チオインジゴイド、チオキサンテン、ペリレン、クマリンまたはラクトンである、請求項１〜１３のいずれか１項に記載の物品。
【請求項１８】
前記上層の着色フイルムの上に横たわる蓋層のポリマーフイルムを更に含み、この蓋層は耐摩耗性、落書き抵抗性、露抵抗性、およびこれらの組み合わせから成る群から選ばれる特性を有し、前記蓋層フイルムがポリメチルメタクリレート基材であり、前記蓋層は紫外線遮断特性を与え、そして前記上層は前記下層と前記蓋層との間に存在する、請求項１〜１３のいずれか１項に記載の物品
【請求項１９】
前記上層の着色フイルムの上に横たわる蓋層のポリマーフイルムを更に含み、この蓋層は耐摩耗性、落書き抵抗性、露抵抗性、およびこれらの組み合わせから成る群から選ばれる特性を有し、前記蓋層フイルムがアクリル樹脂、ポリアリーレート樹脂、コポリエステルカーボネート樹脂、またはこれらの組み合わせまたはこれらのコポリマーであり、前記蓋層は紫外線遮断特性を与え、そして前記蓋層は前記上層上に横たわる、請求項１〜１７のいずれか１項に記載の物品。
【請求項２０】
前記上層フイルムは約２５０ｎｍ〜約４５０ｎｍの光スペクトルのかなりの部分の光をかなりの量で吸収する、請求項１〜１９のいずれか１項に記載の物品。
【請求項２１】
前記物品は黄緑色の蛍光物品であり、前記下層ポリマー基材はポリカーボネートであり、前記第一染料はHuron Yellow D417ベンゾチアジン染料であり、前記上層のポリマー基材はポリメチルメタクリレート基材であり、そして前記第二染料はLumofast Yellow 3Gベンゾキサンテン染料である、請求項１〜１３および１８〜２０のいずれか１項に記載の物品。
【請求項２２】
紫外線吸収剤、HALS構成要素およびこれらの組み合わせから成る群から選ばれる光安定剤を更に含み、前記光安定剤は前記下層および上層の両方または片方内に存在する、請求項１〜２１のいずれか１項に記載の物品。
【請求項２３】
前記下層の着色フイルムおよび前記上層の着色フイルムは、それぞれが個別には、前記選択された蛍光の色合いを有する屋外標識のための紫外線耐久性要件および色合い準拠基準を満足させるのに不適当であるが、前記物品は前記要件および前記基準を満足させる、請求項１〜２２のいずれか１項に記載の物品。
【請求項２４】
請求項１〜２３のいずれか１項に記載の物品を製造する方法であって：
第一ポリマー樹脂と第一染料を調合して、下層の調合物を生成し；
第二ポリマー樹脂と第二染料を調合して、上層の調合物を生成し；
前記下層調合物を下層の着色フイルムに成形し、前記上層調合物を上層の着色フイルムに成形し、前記上層の着色フイルムは前記下層の着色フイルムよりも高い紫外線安定性を有し、前記着色フイルムの少なくても１枚は蛍光着色フイルムであり；そして
前記上層の着色フイルムを前記下層の着色フイルム上に設置して、選ばれた蛍光の色合いを有する多重層の蛍光シートを得る、工程を含む、前記方法。
【請求項２５】
前記下層の着色フイルムが前記上層の着色フイルムと再帰反射性要素との間に存在するように前記再帰反射性要素を追加する工程を更に含む、請求項２４記載の方法。
【請求項２６】
前記上層の着色フイルムがポリマー蓋層と前記下層の着色フイルムとの間に存在するように前記上層の着色フイルム上に前記ポリマー蓋層を設置する工程を更に含む、請求項２４または２５に記載の方法。